(57)【特許請求の範囲】
【請求項１】
情報が表示される情報表示部を有する情報表示シートであって、
前記情報表示部は、紙片が山折り及び谷折りの組み合わせで折り畳まれて重ね合わされた重ね合わせ部を複数有し、
前記複数の重ね合わせ部は、互いに連接して略隙間なく並び、かつ、前記紙片の重ね合わせ枚数が互いに同一であり、重ね合わされた面どうしが剥離可能に接着されている、情報表示シート。
【請求項２】
請求項１に記載の情報表示シートにおいて、
前記情報表示部は、前記複数の重ね合わせ部間を跨いで情報が表示されている、情報表示シート。
【請求項３】
請求項１または請求項２に記載の情報表示シートにおいて、
前記情報表示部を複数有し、
前記複数の情報表示部は、前記重ね合わせ部における紙片の重ね合わせ枚数が互いに異なる組み合わせが存在する、情報表示シート。
【発明の詳細な説明】
【技術分野】
【０００１】
本発明は、情報が表示される情報表示シートに関し、特に、表示される情報の漏洩を回避する技術に関する。
【背景技術】
【０００２】
近年、情報化社会の進展に伴い、個人情報の保護の重要性が高まっている。個人情報は個人を特定する情報であることから、漏洩した場合に悪用されてしまう可能性が高い。このような個人情報は、郵便物や配送伝票に記載されて用いられる場合があるが、その場合、郵便物や配送伝票の廃棄とともに個人情報が漏洩する可能性が生じてしまう。
【０００３】
そこで、個人情報を保護するために、文字や図形を混在させたスタンプが考えられている（例えば、特許文献１参照）。このスタンプを用いて個人情報を保護する場合は、郵便物や配送伝票を廃棄する際に、個人情報が記載された領域にスタンプを押すことで、個人情報を視認させにくくすることができ、それにより、個人情報の漏洩を回避することができる。
【先行技術文献】
【特許文献】
【０００４】
【特許文献１】特許第５３３１９９１号公報
【発明の概要】
【発明が解決しようとする課題】
【０００５】
しかしながら、上述したようなスタンプを用いた場合、郵便物や配送伝票が雨等に濡れると、スタンプのインキが流れ落ち、個人情報が視認されてしまう虞れがある。また、スタンプという特定の機器が必要となり、スタンプを持ち合わせていない利用者にとっては、個人情報の漏洩を回避することができないこととなる。これは、スタンプに限らず、シュレッダー等の機器についても同様のことが言える。
【０００６】
本発明は、上述したような従来の技術が有する問題点に鑑みてなされたものであって、漏洩を回避したい情報を特定の機器を用いることなく確実に視認させにくくすることができる情報表示シートを提供することを目的とする。
【課題を解決するための手段】
【０００７】
上記目的を達成するために本発明は、
情報が表示される情報表示部を有する情報表示シートであって、
前記情報表示部は、紙片が山折り及び谷折りの組み合わせで折り畳まれて重ね合わされた重ね合わせ部を複数有し、
前記複数の重ね合わせ部は、互いに連接して略隙間なく並び、かつ、前記紙片の重ね合わせ枚数が互いに同一であり、重ね合わされた面どうしが剥離可能に接着されている。
【０００８】
上記のように構成された本発明においては、情報表示部に情報が表示された状態で、複数の重ね合わせ部の並び方向にて対向する２つの端辺を所定の方向に引っ張ると、複数の重ね合わせ部のそれぞれにおいて紙片の重ね合わせ面が剥離して山折り及び谷折りが解消される。すると、複数の重ね合わせ部は、紙片が山折り及び谷折りの組み合わせで折り畳まれていたので、山折り及び谷折りの組み合わせで折り畳まれることで表出していなかった重ね合わせ面が、情報表示部にて表出していた表出面の間に表出する。そして、複数の重ね合わせ部が、紙片が山折り及び谷折りの組み合わせで折り畳まれた状態にて互いに連接して略隙間なく並んでいたため、情報表示部の表示面に表示された情報が、表出した重ね合わせ面によって分割されることとなり、視認しにくくなる。また、山折り及び谷折りの組み合わせで折り畳まれた紙片の重ね合わせ枚数が複数の重ね合わせ部間で互いに同一であることで、情報表示部における厚さが均一となって表面が平滑化され、情報表示部に情報を記入しにくくなったり、プリンタにおいて情報表示部に情報を印字する際に支障が生じたりすることがない。
【０００９】
このように、情報表示部に情報が表示された状態で、複数の重ね合わせ部の並び方向にて対向する２つの端辺を所定の方向に引っ張るだけで、特定の機器を用いることなく、情報表示部に表示された情報が確実に視認しにくくなる。
【００１０】
また、情報表示部に、複数の重ね合わせ部間を跨いで情報を表示しておく構成としてもよい。
【００１１】
また、情報表示部を複数有する場合に、複数の情報表示部に、重ね合わせ部における紙片の重ね合わせ枚数が互いに異なる組み合わせが存在していてもよい。
【発明の効果】
【００１２】
本発明によれば、情報表示部に情報が表示された状態で、複数の重ね合わせ部の並び方向にて対向する２つの端辺を所定の方向に引っ張るだけで、情報表示部に表示された情報が視認しにくくなるので、漏洩を回避したい情報を特定の機器を用いることなく確実に視認させにくくすることができる。また、折り畳まれた紙片の重ね合わせ枚数が複数の重ね合わせ部間で互いに同一であることにより、情報表示部における厚さが均一となって表面が平滑化され、情報表示部に情報を記入しにくくなったり、プリンタにおいて情報表示部に情報を印字する際に支障が生じたりすることを回避できる。
【図面の簡単な説明】
【００１３】
【図１】本発明の情報表示シートの第１の実施の形態を示す図であり、（ａ）は平面図、（ｂ）は（ａ）に示したＡ−Ａ’断面図である。
【図２】図１に示した情報表示シートの製造方法を説明するための図である。
【図３】図１に示した情報表示シートの使用方法を説明するための平面図である。
【図４】図１に示した情報表示シートの使用方法を説明するための断面図である。
【図５】本発明の情報表示シートの第２の実施の形態を示す図であり、（ａ）は平面図、（ｂ）は（ａ）に示したＡ−Ａ’断面図である。
【図６】本発明の情報表示シートの第３の実施の形態を示す図であり、（ａ）は紙基材の重ね合わせ面が接着されている状態を示す平面図、（ｂ）は紙基材の重ね合わせ面が剥離した状態を示す平面図である。
【図７】本発明の情報表示シートの第４の実施の形態を示す図であり、（ａ）は平面図、（ｂ）は（ａ）に示したＡ−Ａ’断面図である。
【発明を実施するための形態】
【００１４】
以下に、本発明の実施の形態について図面を参照して説明する。
【００１５】
（第１の実施の形態）
図１は、本発明の情報表示シートの第１の実施の形態を示す図であり、（ａ）は平面図、（ｂ）は（ａ）に示したＡ−Ａ’断面図である。
【００１６】
本形態は図１に示すように、紙片となる１枚の紙基材３０が山折りと谷折りとが交互になる組み合わせで折り畳まれ、山折り及び谷折りによって重ね合わされた面どうしが接着剤４０によって剥離可能に接着されて構成され、３つの情報表示部１１〜１３が連接するとともに、その両側に把持部２１，２２が連接してなる情報表示シート１である。なお、図１（ｂ）においては、紙基材３０のうち重ね合わせ面のみに接着剤４０が塗工されているように図示しているが、接着剤４０は紙基材３０の両面全面に塗工されている。この接着剤４０は、例えば水性エマルジョンタイプのものであり、塗工された面どうしを接着するものであるため、紙基材３０の表出面がべたつくことがなく、印字や筆記が可能となっている。ただし、図１（ｂ）に示すように紙基材３０のうち重ね合わせ面のみに接着剤４０が塗工された構成としてもよい。
【００１７】
情報表示部１１は、紙基材３０がその断面がＺ状となるように山折り及び谷折りの一定のピッチでの繰り返しで折り畳まれて重ね合わされた重ね合わせ部１１ａ〜１１ｃを有している。重ね合わせ部１１ａ〜１１ｃは、折り畳まれた紙基材３０の重ね合わせ面どうしが接着剤４０によって剥離可能に接着されており、１枚の紙基材３０が折り畳まれることで構成されることから、互いに連接している。また、重ね合わせ部１１ａ〜１１ｃは、それぞれ、紙基材３０がその断面がＺ状となるように山折り及び谷折りの繰り返しで折り畳まれて重ね合わされていることから、紙基材３０の重ね合わせ枚数がそれぞれ３枚で互いに同一となっている。このように構成された重ね合わせ部１１ａ〜１１ｃは、情報表示部１１〜１３の連接方向に隙間なく並んでいる。
【００１８】
情報表示部１２は、紙基材３０がその断面がＺ状となるように山折り及び谷折りの一定のピッチでの繰り返しで折り畳まれて重ね合わされた重ね合わせ部１２ａ〜１２ｃを有している。重ね合わせ部１２ａ〜１２ｃは、折り畳まれた紙基材３０の重ね合わせ面どうしが接着剤４０によって剥離可能に接着されており、１枚の紙基材３０が折り畳まれることで構成されることから、互いに連接している。また、重ね合わせ部１２ａ〜１２ｃは、それぞれ、紙基材３０がその断面がＺ状となるように山折り及び谷折りの繰り返しで折り畳まれて重ね合わされていることから、紙基材３０の重ね合わせ枚数がそれぞれ３枚で互いに同一となっている。このように構成された重ね合わせ部１２ａ〜１２ｃは、情報表示部１１〜１３の連接方向に隙間なく並んでいる。
【００１９】
情報表示部１３は、紙基材３０がその断面がＺ状となるように山折り及び谷折りの一定のピッチでの繰り返しで折り畳まれて重ね合わされた重ね合わせ部１３ａ〜１３ｃを有している。重ね合わせ部１３ａ〜１３ｃは、折り畳まれた紙基材３０の重ね合わせ面どうしが接着剤４０によって剥離可能に接着されており、１枚の紙基材３０が折り畳まれることで構成されることから、互いに連接している。また、重ね合わせ部１３ａ〜１３ｃは、それぞれ、紙基材３０がその断面がＺ状となるように山折り及び谷折りの繰り返しで折り畳まれて重ね合わされていることから、紙基材３０の重ね合わせ枚数がそれぞれ３枚で互いに同一となっている。このように構成された重ね合わせ部１３ａ〜１３ｃは、情報表示部１１〜１３の連接方向に隙間なく並んでいる。
【００２０】
把持部２１，２２はそれぞれ、紙基材３０がその断面がＺ状となるように山折り及び谷折りの一定のピッチでの繰り返しで折り畳まれて重ね合わされ、重ね合わせ面どうしが接着剤４０によって剥離可能に接着されて構成されている。
【００２１】
以下に、上記のように構成された情報表示シート１の製造方法について説明する。
【００２２】
図２は、図１に示した情報表示シート１の製造方法を説明するための図である。
【００２３】
図１に示した情報表示シート１は、図２に示すようにロール２に巻かれた連続状の紙基材３０を用いて製造される。紙基材３０としては、例えば、１００μｍ程度のものを用いることが考えられる。これは、図１に示したように情報表示部１１〜１３においては紙基材３０の重ね合わせ枚数が３枚であることを鑑みると、情報表示部１１〜１３の厚さを、厚手の紙製品である、官製はがきや預金通帳表紙に相当する３００μｍ程度とすることが好ましいと思われるためである。
【００２４】
ロール２に巻かれた連続状の紙基材３０が引き出されると、まず、接着剤塗工部３において、紙基材３０の両面に接着剤４０が塗工される。接着剤４０は、紙基材３０を後述するように、剥離する際の引っ張り力の指標として、１５０ｍｍの幅当たり３Ｎ〜２３Ｎを目安にし、実運用上で支障が起こり得ない程度の安全係数を考慮した製品仕様とすることが考えられる。
【００２５】
次に、折り畳み部４において、上述した重ね合わせ部１１ａ〜１１ｃ，１２ａ〜１２ｃ，１３ａ〜１３ｃ及び把持部２１，２２を構成するように紙基材３０が折り畳まれる。紙基材３０の折り畳みは、例えば、金属の板金加工等で用いられる、いわゆるヘミング曲げを適用することが考えられる。ここで、紙基材３０は、重ね合わせ部１１ａ〜１１ｃ，１２ａ〜１２ｃ，１３ａ〜１３ｃ及び把持部２１，２２のそれぞれにおいて、山折り及び谷折りの一定のピッチでの繰り返しで折り畳まれることになるが、そのピッチは、例えば７０μｍ〜１ｍｍの範囲が好ましい。これは、見やすい文字の大きさ基準の１つに７ｐｔを謳う規則があり、上述したように、情報表示部１１〜１３のそれぞれを、３つの重ね合わせ部１１ａ〜１１ｃ，１２ａ〜１２ｃ，１３ａ〜１３ｃから構成することを鑑みた場合に、情報表示部１１〜１３に表示された情報を視認することができ、かつ、３つに分割した場合に視認させにくくすることができる程度とするためである。
【００２６】
次に、圧着部５において、折り畳まれた紙基材３０に、紙基材３０を介して対向配置された２つの圧着ローラ５ａ，５ｂによってその表裏から圧力が加えられる。これにより、折り畳まれた紙基材３０の重ね合わせ面どうしが接着剤４０によって剥離可能に接着されるとともに、折り畳まれた紙基材３０の厚さが平準化され、その表面が平滑になる。
【００２７】
その後、カット部６において、連続状の紙基材３０が、図１に示した情報表示シート１の単位毎に単片状に断裁される。
【００２８】
以下に、上述した情報表示シート１の使用方法及びその際の作用について説明する。
【００２９】
図３は、図１に示した情報表示シート１の使用方法を説明するための平面図であり、図４は、図１に示した情報表示シート１の使用方法を説明するための断面図である。
【００３０】
図１に示した情報表示シート１を使用する場合は、まず、図３（ａ）に示すように、紙基材３０がその重ね合わせ面どうしが接着剤４０によって剥離可能に接着されている状態において、情報表示部１１〜１３のそれぞれに、重ね合わせ部１１ａ〜１１ｃ，１２ａ〜１２ｃ，１３ａ〜１３ｃ間を跨いで情報“Ａ”，“Ｂ”，“Ｃ”を記入する。この際、情報表示部１１〜１３のそれぞれにおいては、重ね合わせ部１１ａ〜１１ｃ，１２ａ〜１２ｃ，１３ａ〜１３ｃの厚さが互いに同一であり、その表面が平滑となっているため、情報を記入しやすくなっている。この状態では、情報表示部１１〜１３に記入された情報“Ａ”，“Ｂ”，“Ｃ”はそれぞれ視認可能となっている。
【００３１】
情報表示部１１〜１３に記入された情報“Ａ”，“Ｂ”，“Ｃ”を視認不可能とするためには、図４（ａ）に示すように、情報表示シート１の複数の重ね合わせ部１１ａ〜１１ｃ，１２ａ〜１２ｃ，１３ａ〜１３ｃの並び方向にて対向する２つの端辺である把持部２１，２２を把持し、把持部２１，２２が離れる方向に引っ張っていくと、図４（ｂ）に示すように、重ね合わせ部１１ａ〜１１ｃ，１２ａ〜１２ｃ，１３ａ〜１３ｃのそれぞれにおいて、紙基材３０の重ね合わせ面が剥離して山折り及び谷折りが解消していく。なお、把持部２１，２２を引っ張る方向については、重ね合わせ部１１ａ〜１１ｃ，１２ａ〜１２ｃ，１３ａ〜１３ｃのそれぞれが、紙基材３０がその断面がＺ状となるように山折り及び谷折りの繰り返しで折り畳まれて構成されているため、図４（ａ）に示すように、把持部２１，２２が離れる方向である図４（ａ）中左右方向よりも、Ｚ状の形状が開いていく方向、すなわち、把持部２１においては図４（ａ）中左上に向かう方向に、また、把持部２２においては図４（ａ）中右下に向かう方向に引っ張ることが好ましい。把持部２１を図４（ａ）中左上に向かう方向に引っ張ることで、重ね合わせ部１１ａ〜１１ｃ，１２ａ〜１２ｃ，１３ａ〜１３ｃのそれぞれにおいて、Ｚ状の上側の重ね合わせ面が剥離し、また、把持部２２を図４（ａ）中右下に向かう方向に引っ張ることで、重ね合わせ部１１ａ〜１１ｃ，１２ａ〜１２ｃ，１３ａ〜１３ｃのそれぞれにおいて、Ｚ状の下側の重ね合わせ面が剥離していくこととなる。把持部２１，２２を、把持部２１，２２が離れる方向である図４（ａ）中左右方向に引っ張った場合も、紙基材３０の重ね合わせ面を剥離していくことができるが、余計な力が必要となったり、紙基材３０の材質や厚さによっては、紙基材３０が引っ張り力に耐え切れずに破断してしまう場合がある。また、紙基材３０の重ね合わせ面を剥離する際、情報表示シート１を湾曲させることで重ね合わせ面の一部をまず剥離させ、その剥離した部分をきっかけとして重ね合わせ面を剥離していくことも考えられる。その場合、重ね合わせ部１１ａ〜１１ｃ，１２ａ〜１２ｃ，１３ａ〜１３ｃのそれぞれにて表出する部分にコーナーカットを設けておくことで、重ね合わせ面をさらに剥離しやすくすることも考えられる。
【００３２】
そして、重ね合わせ部１１ａ〜１１ｃ，１２ａ〜１２ｃ，１３ａ〜１３ｃのそれぞれにおいて、図４（ｃ）に示すように紙基材３０の山折り及び谷折りが完全に解消すると、図２（ｂ）に示すように、重ね合わせ部１１ａ〜１１ｃ，１２ａ〜１２ｃ，１３ａ〜１３ｃがそれぞれ、紙基材３０が山折り及び谷折りの組み合わせで折り畳まれていたので、情報表示部１１を構成する重ね合わせ部１１ａ〜１１ｃにおいては、山折り及び谷折りの組み合わせで折り畳まれることで表出していなかった重ね合わせ面１１ａ−２，１１ａ−３，１１ｂ−２，１１ｂ−３，１１ｃ−２，１１ｃ−３が、情報“Ａ”が記入された表出面１１ａ−１，１１ｂ−１，１１ｃ−１の間にそれぞれ表出する。そして、重ね合わせ部１１ａ〜１１ｃが、紙基材３０が山折り及び谷折りの組み合わせで折り畳まれた状態にて互いに隙間なく並んでいたため、情報表示部１１の表示面となる重ね合わせ部１１ａ〜１１ｃの表出面１１ａ−１，１１ｂ−１，１１ｃ−１に表示された情報“Ａ”が、表出した重ね合わせ面１１ａ−２，１１ａ−３，１１ｂ−２，１１ｂ−３，１１ｃ−２，１１ｃ−３によって分割されることとなり、視認しにくくなる。
【００３３】
また、情報表示部１２を構成する重ね合わせ部１２ａ〜１２ｃにおいても同様に、山折り及び谷折りの組み合わせで折り畳まれることで表出していなかった重ね合わせ面１２ａ−２，１２ａ−３，１２ｂ−２，１２ｂ−３，１２ｃ−２，１２ｃ−３が、情報“Ｂ”が記入された表出面１２ａ−１，１２ｂ−１，１２ｃ−１の間にそれぞれ表出する。そして、重ね合わせ部１２ａ〜１２ｃが、紙基材３０が山折り及び谷折りの組み合わせで折り畳まれた状態にて互いに隙間なく並んでいたため、情報表示部１２の表示面となる重ね合わせ部１２ａ〜１２ｃの表出面１２ａ−１，１２ｂ−１，１２ｃ−１に表示された情報“Ｂ”が、表出した重ね合わせ面１２ａ−２，１２ａ−３，１２ｂ−２，１２ｂ−３，１２ｃ−２，１２ｃ−３によって分割されることとなり、視認しにくくなる。
【００３４】
また、情報表示部１３を構成する重ね合わせ部１３ａ〜１３ｃにおいても同様に、山折り及び谷折りの組み合わせで折り畳まれることで表出していなかった重ね合わせ面１３ａ−２，１３ａ−３，１３ｂ−２，１３ｂ−３，１３ｃ−２，１３ｃ−３が、情報“Ｃ”が記入された表出面１３ａ−１，１３ｂ−１，１３ｃ−１の間にそれぞれ表出する。そして、重ね合わせ部１３ａ〜１３ｃが、紙基材３０が山折り及び谷折りの組み合わせで折り畳まれた状態にて互いに隙間なく並んでいたため、情報表示部１３の表示面となる重ね合わせ部１３ａ〜１３ｃの表出面１３ａ−１，１３ｂ−１，１３ｃ−１に表示された情報“Ｃ”が、表出した重ね合わせ面１３ａ−２，１３ａ−３，１３ｂ−２，１３ｂ−３，１３ｃ−２，１３ｃ−３によって分割されることとなり、視認しにくくなる。
【００３５】
このように、情報表示部１１〜１３に情報が表示された状態で、情報表示シート１の複数の重ね合わせ部１１ａ〜１１ｃ，１２ａ〜１２ｃ，１３ａ〜１３ｃの並び方向にて対向する２つの端辺である把持部２１，２２を把持して所定の方向に引っ張るだけで、特定の機器を用いることなく、情報表示部１１〜１３に表示された情報が確実に視認しにくくなる。
【００３６】
（第２の実施の形態）
図５は、本発明の情報表示シートの第２の実施の形態を示す図であり、（ａ）は平面図、（ｂ）は（ａ）に示したＡ−Ａ’断面図である。
【００３７】
本形態は図５に示すように、第１の実施の形態に示したものに対して、情報表示部１１１〜１１３における紙基材１３０の折り畳み方が異なるとともに、把持部１２１，１２２においては、紙基材１３０が折り畳まれずに構成されている点が異なる情報表示シート１０１である。本形態の情報表示シート１０１においては、情報表示部１１１〜１１３において、紙基材１３０がその断面がΩ状と逆Ω状とが交互となるように山折り及び谷折りの一定のピッチでの繰り返しで折り畳まれている。
【００３８】
上記のように構成された情報表示シート１０１においても、第１の実施の形態に示したものと同様に、情報表示部１１１〜１１３に情報が表示された状態で、情報表示シート１０１の複数の重ね合わせ部１１１ａ〜１１１ｃ，１１２ａ〜１１２ｃ，１１３ａ〜１１３ｃの並び方向にて対向する２つの端辺である把持部１２１，１２２を把持して所定の方向に引っ張るだけで、特定の機器を用いることなく、情報表示部１１１〜１１３に表示された情報が確実に視認しにくくなるが、重ね合わせ面を開かせていく方向が、第１の実施の形態に示したもののように把持部１２１，１２２のそれぞれについて一方向ではないため、余計な力が必要となったり、紙基材１３０に大きな負荷がかかって紙基材１３０の材質や厚さによっては紙基材１３０が破断してしまう場合がある。
【００３９】
また、把持部１２１，１２２が、紙基材１３０が折り畳まれずに構成されているが、把持部１２１，１２２においては、情報表示部１１１，１１２，１１３のように、情報が表示されるものではないため、第１の実施の形態に示したもののように紙基材３０が折り畳まれて構成されていてもよいし、本形態のように紙基材１３０が折り畳まれずに構成されていてもよい。また、製造工程にて支障がない限りにおいて、紙基材の重ね合わせ枚数を情報表示部と同一としてその厚さを同一としても、紙基材の重ね合わせ枚数を情報表示部と異ならせてその厚さを情報表示部よりも薄くしたり厚くしたりしてもよい。ただし、把持部の厚さが情報表示部よりも厚くなると、圧着ローラ５ａ，５ｂによって圧力を加えることで紙基材３０の重ね合わせ面どうしを接着する際、情報表示部に接着のために十分な圧力が加わらなくなる虞があるため、把持部の厚さは情報表示部の厚さ以下とすることが好ましい。
【００４０】
また、上述したように把持部を把持して情報表示シートを引っ張ることを鑑みると、紙基材の材質や厚さによってはその強度を保持するために、把持部に補強剤を塗工することも考えられる。その場合においても、把持部の厚さは情報表示部の厚さ以下とすることが好ましい。
【００４１】
（第３の実施の形態）
図６は、本発明の情報表示シートの第３の実施の形態を示す図であり、（ａ）は紙基材２３０の重ね合わせ面が接着されている状態を示す平面図、（ｂ）は紙基材２３０の重ね合わせ面が剥離した状態を示す平面図である。
【００４２】
本形態は図６に示すように、第１の実施の形態に示したものに対して、情報表示部２１１〜２１３のそれぞれに、重ね合わせ部２１１ａ〜２１１ｃ，２１２ａ〜２１２ｃ，２１３ａ〜２１３ｃ間を跨いで情報“Ａ”，“Ｂ”，“Ｃ”が既に印字されているとともに、情報表示部２１１，２１３を構成する重ね合わせ部２１１ａ〜２１１ｃ，２１２ａ〜２１２ｃ，２１３ａ〜２１３ｃの重ね合わせ面２１１ａ−２，２１１ａ−３，２１１ｂ−２，２１１ｂ−３，２１１ｃ−２，２１１ｃ−３，２１２ａ−２，２１２ａ−３，２１２ｂ−２，２１２ｂ−３，２１２ｃ−２，２１２ｃ−３，２１３ａ−２，２１３ａ−３，２１３ｂ−２，２１３ｂ−３，２１３ｃ−２，２１３ｃ−３に、文字や記号あるいは数字からなるカモフラージュ情報が印字されており、さらに、山折り及び谷折りとなる折り部にミシン目２３１が形成されている点が異なる情報表示シート２０１である。
【００４３】
上記のように構成された情報表示シート２０１を、図２に示した工程を用いて製造する場合は、接着剤塗工部３にて紙基材２３０に接着剤２４０が塗工された後、折り畳み部４にて紙基材２３０が折り畳まれる前に、重ね合わせ部２１１ａ〜２１１ｃ，２１２ａ〜２１２ｃ，２１３ａ〜２１３ｃの重ね合わせ面２１１ａ−２，２１１ａ−３，２１１ｂ−２，２１１ｂ−３，２１１ｃ−２，２１１ｃ−３，２１２ａ−２，２１２ａ−３，２１２ｂ−２，２１２ｂ−３，２１２ｃ−２，２１２ｃ−３，２１３ａ−２，２１３ａ−３，２１３ｂ−２，２１３ｂ−３，２１３ｃ−２，２１３ｃ−３にカモフラージュ情報を印字するとともに、折り部にミシン目２３１を形成し、圧着部５にて２つの圧着ローラ５ａ，５ｂによってその表裏から圧力が加えられた後に、情報表示部２１１〜２１３のそれぞれに、重ね合わせ部２１１ａ〜２１１ｃ，２１２ａ〜２１２ｃ，２１３ａ〜２１３ｃ間を跨いで既に情報“Ａ”，“Ｂ”，“Ｃ”を印字することとなる。なお、重ね合わせ部２１１ａ〜２１１ｃ，２１２ａ〜２１２ｃ，２１３ａ〜２１３ｃの重ね合わせ面２１１ａ−２，２１１ａ−３，２１１ｂ−２，２１１ｂ−３，２１１ｃ−２，２１１ｃ−３，２１２ａ−２，２１２ａ−３，２１２ｂ−２，２１２ｂ−３，２１２ｃ−２，２１２ｃ−３，２１３ａ−２，２１３ａ−３，２１３ｂ−２，２１３ｂ−３，２１３ｃ−２，２１３ｃ−３へのカモフラージュ情報の印字は、ロール４に巻かれた紙基材２３０に表示されているタイミングマークを検知することでそのタイミングが制御されることになる。
【００４４】
本形態における情報表示シート２０１においては、紙基材２３０の重ね合わせ面を剥離して山折り及び谷折りを解消した場合、第１の実施の形態に示したもののように、情報“Ａ”，“Ｂ”，“Ｃ”のそれぞれについて分割した部分の間に何も表示されていない重ね合わせ部が存在するのではなく、カモフラージュ情報が存在するため、紙基材２３０に表示された情報のうち、どの情報が情報表示部２１１〜２１３に表示されていた情報であるか判断することができず、それにより、紙基材２３０を山折り及び谷折りによって元の状態に戻すことが困難となる。
【００４５】
また、山折り及び谷折りとなる折り部にミシン目２３１が形成されているため、このミシン目２３１を用いて紙基材２３０を破断することができ、情報表示部２１１〜２１３に印字された情報“Ａ”，“Ｂ”，“Ｃ”を認識することをさらに困難とさせることができる。なお、ミシン目２３１は、紙基材２３１の折り部以外の領域に形成しておいても同様の効果を得ることができる。また、ミシン目２３１が、紙基材２３０を山折り及び谷折りする折り部に形成されていることにより、紙基材２３０を山折り及び谷折りしやすくなる。
【００４６】
なお、ミシン目２３１の代わりにハーフスリットを紙基材２３０に形成した構成とすることも考えられる。
【００４７】
（第４の実施の形態）
図７は、本発明の情報表示シートの第４の実施の形態を示す図であり、（ａ）は平面図、（ｂ）は（ａ）に示したＡ−Ａ’断面図である。
【００４８】
本形態は図７に示すように、第１の実施の形態に示したものに対して、情報表示部３１３の重ね合わせ部３１３ａ〜３１３ｃにおける紙基材３３０の重ね合わせ枚数が、情報表示部３１１，３１２それぞれの重ね合わせ部３１１ａ〜３１１ｃ，３１２ａ〜３１２ｃにおける紙基材３３０の重ね合わせ枚数と異なる点が異なる情報表示シート３０１である。本形態においては、情報表示部３１１，３１２それぞれの重ね合わせ部３１１ａ〜３１１ｃ，３１２ａ〜３１２ｃにおける紙基材３３０の重ね合わせ枚数が、第１の実施の形態に示したものと同様に３枚であるのに対して、情報表示部３１３の重ね合わせ部３１３ａ〜３１３ｃにおける紙基材３３０の重ね合わせ枚数が５枚となっており、それにより、複数の情報表示部３１１〜３１３について、重ね合わせ部における紙片の重ね合わせ枚数が互いに異なる組み合わせが存在している。
【００４９】
上記のように構成された情報表示シート３０１においても、情報表示部３１１〜３１３のそれぞれについては、重ね合わせ部３１１ａ〜３１１ｃ，３１２ａ〜３１２ｃ，３１３ａ〜３１３ｃにおける紙基材３３０の重ね合わせ枚数が同一となっているので、製造工程にて支障がない限りにおいて、情報表示部３１１〜３１３に情報を記入したり印字したりする際に弊害が生じてしまうことがない。
【００５０】
なお、第１、第２及び第４の実施の形態においては、情報表示部に情報が記入され、第３の実施の形態においては情報表示部に情報が印字されているが、本発明における情報の表示とは、印字、印刷、手書きによる記入等、特にその手段を限定しない。
【００５１】
また、上述した実施の形態においては、情報表示部を構成する複数の重ね合わせ部が隙間なく並んでいるが、製造過程や条件等によって複数の重ね合わせ部間に多少の隙間が生じたとしても、その隙間が、情報表示部に表示された情報を文字認識カメラで読み取ることができたり、印字カスレ等の範囲内に収まる程度のものであれば、紙基材の重ね合わせ面が剥離されていない状態においては情報を視認させ、重ね合わせ面が剥離されて山折り及び谷折りが解消した状態においては情報を視認させにくくする構成とすることができる。例えば、情報表示部が、２．５ｍｍ四方の大きさであって、３つの重ね合わせ部が並んで構成される場合、重ね合わせ部の隙間が２．５ｍｍの１／１０程度の０．３ｍｍ以下であれば、情報表示部に表示される文字についてその隙間による脱落部分を人間の目によって補足することができ、また、隙間による脱落箇所が多少異なった場合でも、前後の文字から推測することができる。このような複数の重ね合わせ面の並び状態も含めて、本願発明では、略隙間なく並びと定義する。
【００５２】
また、上述した実施の形態においては、１枚の紙基材が山折り及び谷折りの組み合わせで折り畳まれているが、複数の紙基材が繋ぎ合わされることで連接したものが山折り及び谷折りの組み合わせで折り畳まれているものであってもよい。
【産業上の利用可能性】
【００５３】
本発明の情報表示シートは、金融系での株式取引の履歴が記載された利用明細書や、生命保険の更新等で加入条件が記載された申込用紙や、物品発注の伝票処理に用いられる請求用紙、電気料金等の検針用紙、また、給与情報等が記載された給与明細書や源泉徴収票、学校教育で用いられる模擬試験の成績順位が記載された用紙、健康診断の結果が記載された用紙等に利用することが考えられる。
【符号の説明】
【００５４】
１，１０１，２０１，３０１    情報表示シート
２    ロール
３    接着剤塗工部
４    折り畳み部
５    圧着部
５ａ，５ｂ    圧着ローラ
６    カット部
１１〜１３，１１１〜１１３，２１１〜２１３，３１１〜３１３    情報表示部
１１ａ〜１１ｃ，１２ａ〜１２ｃ，１３ａ〜１３ｃ，１１１ａ〜１１１ｃ，１１２ａ〜１１２ｃ，１１３ａ〜１１３ｃ，２１１ａ〜２１１ｃ，２１２ａ〜２１２ｃ，２１３ａ〜２１３ｃ，３１１ａ〜３１１ｃ，３１２ａ〜３１２ｃ，３１３ａ〜３１３ｃ    重ね合わせ部
１１ａ−１，１１ｂ−１，１１ｃ−１，１２ａ−１，１２ｂ−１，１２ｃ−１，１３ａ−１，１３ｂ−１，１３ｃ−１，２１１ａ−１，２１１ｂ−１，２１１ｃ−１，２１２ａ−１，２１２ｂ−１，２１２ｃ−１，２１３ａ−１，２１３ｂ−１，２１３ｃ−１    表出面
１１ａ−２，１１ａ−３，１１ｂ−２，１１ｂ−３，１１ｃ−２，１１ｃ−３，１２ａ−２，１２ａ−３，１２ｂ−２，１２ｂ−３，１２ｃ−２，１２ｃ−３，１３ａ−２，１３ａ−３，１３ｂ−２，１３ｂ−３，１３ｃ−２，１３ｃ−３，２１１ａ−２，２１１ａ−３，２１１ｂ−２，２１１ｂ−３，２１１ｃ−２，２１１ｃ−３，２１２ａ−２，２１２ａ−３，２１２ｂ−２，２１２ｂ−３，２１２ｃ−２，２１２ｃ−３，２１３ａ−２，２１３ａ−３，２１３ｂ−２，２１３ｂ−３，２１３ｃ−２，２１３ｃ−３    重ね合わせ面
２１，２２，１２１，１２２，２２１，２２２，３２１，３２２    把持部
３０，１３０，３３０    紙基材
４０，１４０，３４０    接着剤
２３１    ミシン目
【図１】
0006549024.tif 000002
【図２】
0006549024.tif 000003
【図３】
0006549024.tif 000004
【図４】
0006549024.tif 000005
【図５】
0006549024.tif 000006
【図６】
0006549024.tif 000007
【図７】
0006549024.tif 000008